(57)【要約】【課題】住宅が防音、断熱、機密性に優れ、この為密封された各部屋に淀み、とどこうる、汚れた空気の換気を、より安価で浄化された外気の新鮮な気温、湿度を有する、空気を各部屋に常時供給出来る事を可能にする。【解決手段】汚染された、外気を貯水槽下部より水を通す、一定の気温を得る為に貯水槽内に加温ヒーター、冷却板を設け、一定の気温の浄化された新鮮な空気を得、各部屋に供給でき、又水槽内に水位、水質監視センサー、給水弁、排水弁を設けている、水質監視センサーと一体として連動し機能する為、水温水質が自動で管理出来る。【選択図】図２
2005283086.tif 000002
【特許請求の範囲】
断熱、保温性の有する貯水槽内に、加温ヒーター冷却用保冷板、水質監視センサー、水位監視センサー、  温度センサー、貯水槽内の水質水位を保つ水道管に接続去れた給水弁、貯水槽に排水弁を設け、一定の温度の水温、水位、水質を維持する事を特徴とし、一定の温度、湿度を有する浄化された空気をダクト通し各室内に供給する外気供給装置。
【発明の詳細な説明】
【技術分野】
【０００１】  本発明は、室内の空気の換気に関する。
【背景技術】
【０００２】  室内の淀み汚れた空気を換気する為に窓を開けて空気を入れ替えるか、換気扇を回す換気していた。【０００３】  近年、住宅の防音断熱性が求められ、益々気密性の高い住宅が造られる様になった。【０００４】  この為、機密性が優れている為に、各部屋の空気が、淀み、こもる現象が起きている。【０００５】  特に寝室の睡眠時に、人体より排出される空気の汚れ等が、寝室内に淀み、こもる。【０００６】  しかも、空気の汚れ、空気中の二酸化炭素が増え、酸素濃度の低下が起きる。【０００７】  寝室内の、空気中の、酸素濃度の低下の為に、本来睡眠を取る事により、肉体疲労の回復が出来難くなっている。【０００８】  睡眠時に、より空気中の酸素濃度の高い空気を体内に取り入れる事が出来れば、肉体疲労の回復が早くなる事が解っている。【０００９】  肉体疲労回復の為に酸素ボンベからマスクを介し酸素を体内に取り入れ、疲労回復に酸素を用いる人もいる。【００１０】  空気を換気しながら室内の温度を調整出来るエアコンが市場に出てきた。【００１１】  又、エアコン自体が空気中の酸素濃度を高める機能の付いたエアコンも市場の出ている。【００１２】  室内の汚れ淀んだ空気の解消には、部屋の窓を開け室内の空気を入り換えるか、換気扇を回し室内の空気を入り換えてた。【００１３】  近年、空気汚染が進み、特にジイゼル車の排気ガスに含まれる煤煙の汚染が大きく、室内の床、障子の枠等に煤が溜まる。【００１４】  外気を入れ換える度、汚染された、空気が室内に進入する。【００１５】  寝室内の空気を睡眠中に起きて換気をする事は、大変な作業でもある。【００１５】  この為、エアコンを睡眠時間用にセットし使用していた。【００１６】  この様に年間を通し各部屋にエアコンが必要とする家屋の設計になっている。【００１７】  エアコンは、夏場の快適な室温を得るのに適しているが、冬場は、エアコンの使用が滞り、冬場の暖房は、ストーブに頼っている。【００１８】  この為、年間をとうしたエアコンの維持費が大きい欠点でもある。【００１９】  冬場の暖房は、ストーブ等を使用しているが、特に石油ストーブを使用する場合室内の空気を定期的に、換気する事が必要とした。【００２０】  石油ストーブを使用し、室内の換気を怠ると、室内の空気が汚れ、空気の酸素濃度が低下し、思考が衰える症状がでる問題点もある。【００２１】  又、空気清浄器が市場に出ているが、室内の空気の汚れを浄化するのには、一定の効果があるが、空気中の酸素濃度の、低下の回復には適していない。【００２２】    又、春先等は外気が花粉で汚染される。【００２３】  上記記述したような問題点も有り、換気する外気の汚染された空気を室内に取り入れなければならない、と言う問題点もある。
【特許文献】  特願２０００−３３１４７６
【特許文献】  特願平０９−２００７０５
【発明が解決しようとする課題】
【００２４】  気密性の優れた各部屋に空気が、淀み、こもる現象の解消、各部屋に、エアコンを設置する年間の経費の大きさ、換気の際、外気に混じって室内に侵入する花粉、煤煙、その他の汚染物質の除去が大きな問題点である。
【課題を解決しようとする課題】
【００２５】  本発明は、より簡単な装置で空気を水に通過させ、一定の湿度、温度の浄化された空気を各室内に供給でき、外気供給装置の管理を年間を通して、自動化した事で管理コストを最小限におさえる事、ができる事を最も主要な特徴とする。
【発明の効果】
【００２６】  本発明の外気供給装置では、１台の外気供給装置で数部屋に浄化した、快適温度、湿度の新鮮な空気をより安価な価格で各部屋に供給できるという利点がある。
部屋の酸素濃度を自然界の快適空気酸素濃度を２１％、温度２１度前後の空気を各部屋に供給する事が出来る。
【発明を実施するための最良の形態】
【００２７】  自然界の快適空気酸素濃度２１％を、そのまま浄化し快適温度２１度前後に保たれた空気を各部屋に供給する目的を、最小の部品点数で実現した。
【実施例１】
【００２８】  図１は、本発明の外気供給装置の全体図【００２９】  加温ヒーター１と、隣接するエアーストーン２に、エアーポンプから送出された空気を微細気泡に換えるエアーストーン２を貯水槽内下部に設けた図２である。【００３０】  水質監視センサー３、水位監視センサー４、を水槽上部に設けた図２である。【００３１】  貯水槽内の水位を保つ水道管に接続去れた給水弁５、貯水槽下部に排水弁６を設けた図３である。【００３２】  加温ヒーター１と温度センサー８を一対とし水槽内に設け温度センサーの感知で加温ヒーターが連動し一定の希望温度の水温を得る。【００３３】  水位監視センサー４、水道管に接続去れた給水弁５、を１対とし連動し基準水位より水位が低下すると給水弁５が開き水を補給する。【００３４】  水質監視センサー３、と排水弁６を１対とし水質監視センサー３、が一定以上の水の汚れを感知した場合排水弁６を開放し水槽内の汚れた水を排出する。【００３５】  貯水槽内一面に冷却用保冷板７を設けた図２である。【００３６】  冷却用保冷板７の機能は、水の透過性を有し外側に水がにじみ出る程度の透過性を有しる事が望ましい。【００３７】  保冷板からにじみ出た水が外気に触れ水が蒸発する、蒸発作用で冷却板を冷やす作用を要する。【００３８】  上記記述した作用を有する物であれば、どの様な材質でも良い。【００３９】  例えば、微細網板に透過性を有する高分子フイルム、繊維等を貼り付けても良い。【００４０】  又は、目の粗い素焼き陶器板としても良い。
【産業上の利用可能性】
【００４１】
【００４２】  空気の汚染、外気温を気にせず安価な維持費で、年間を通して室内に快適な温度の外気を供給できる。
室内に浄化された外気を供給する際、熱交換気を通し供給することで室内の温度を変化させず、常時換気が出来る。
【図面の簡単な説明】
【００４２】
【図１】外気供給装置の全体図
【図２】水質監視センサー水位監視センサーを水槽上部に設けた図２
【図３】水道管に接続去れた給水弁、貯水槽に排水弁を設けた図３である。
【符号の説明】
【００４３】１  加温ヒーター        ２  エアーストーン    ３  水質監視センサー
４  水位監視センサー    ５  給水弁            ６  排水弁
７  保冷板              ８  ダクト            ９  温度センサー
【図１】
2005283086.tif 000003
【図２】
2005283086.tif 000004
【図３】
2005283086.tif 000005